【事件の表示】
　平成　５年特許願第２１８２９０号「光ディスク装置」拒絶査定不服審判事件〔平成　７年　３月１７日出願公開、特開平　７−　７３４９７〕について、次のとおり審決する。
【結　論】
　本件審判の請求は、成り立たない。
【理　由】
１．手続の経緯・本願発明
　本件審判の請求にかかる特許出願（以下、「本願」という）は、平成５年９月２日に出願されたものであって、本願請求項１乃至２に係る発明は、平成１５年７月１４日付けの手続補正よって補正された明細書及び図面の記載からみて、特許請求の範囲の請求項１乃至２に記載されたとおりのものと認められるところ、その請求項１の記載は以下のとおりである。
「【請求項１】半導体レーザと、この半導体レーザから出射された光を第１および第２の光ビームに分岐する分岐手段と、前記第１の光ビームをディスク状記録媒体に照射する手段と、前記記録媒体からの反射光を検出する第１の光検出器と、前記第２の光ビームを検出する第２の光検出器と、この第２の光検出器の出力信号から制御信号を生成し、該制御信号を用いて前記半導体レーザの光出力を制御する光出力制御手段と、前記第１の光検出器の出力信号から前記記録媒体に記録された情報の再生信号を生成する再生手段と、この再生手段により生成された再生信号をディジタル化するための再生信号２値化手段と、この再生信号２値化手段の出力信号と基準再生クロックとの位相を同期させるための電圧制御発振器を備えた位相同期手段と、前記電圧制御発振器の発振周波数を再生信号帯域の概ね２倍以上かつ前記光出力制御手段の制御帯域内に設定し、該電圧制御発振器の出力信号にゲイン調整および遅延補償を施して高周波信号を生成する高周波信号生成手段と、信号再生時に前記高周波信号を前記光出力制御手段の前記制御信号に重畳する信号重畳手段と、前記高周波信号生成手段により生成された前記高周波信号の重畳した再生信号にフィルタリングを施すことにより該再生信号帯域外の残留高周波変調信号を除去して改善された再生信号を得る再生信号フィルタリング手段とを具備することを特徴とする光ディスク装置。」（以下、「本願発明」という）
　
２．刊行物及びその記載
　これに対して、原査定の拒絶理由で引用された刊行物である特開平５−１２０７１７号公報（以下、「刊行物」という）には、以下の記載がある。
　１）「【特許請求の範囲】【請求項１】レーザダイオードより射出し、信号がディジタル記録してある光ディスクで反射したレーザ光に基づいて該光ディスクに記録されている信号を読み取る光ディスク装置において、
読取った信号（ｆ）からクロック信号（ａ）を抽出し（１７）、
該抽出したクロック信号に同期させて上記レーザダイオード（２）を変調駆動する（３３，３５）構成としたことを特徴とする光ディスク装置。」
　２）「【０００２】光ディスク再生装置にあっては、ＳＮ比の良好な信号を再生できることが必要である。」
　３）「【０００５】１は光学ヘッドであり、レーザダイオード（ＬＤ）２と、フォトダイオード（ＰＤ）３と、ＬＤ駆動回路４と、高周波発生回路５とよりなる。
【０００６】高周波発生回路５よりの信号によって駆動回路４が動作し、ＬＤ２が駆動される。
【０００７】ＬＤ２より出たレーザ光６は、信号がディジタル記録されている光ディスク７を照射し、こゝで反射し、光ディスク７に書き込まれている信号が乗ったレーザ８がＰＤ３を照射する。
【０００８】ＰＤ３からアナログ再生信号が出力される。再生信号は増幅器１０で増幅され、波形等化器１１、整形器１２、弁別器１３を経て再生パルス信号とされる。なお、弁別器１３は、位相比較器１４、低域フィルタ（ＬＰＦ）１５、電圧制御発振器（ＶＣＯ）１６よりなる同期信号発生器１７からライン１８に出力されるクロック信号により制御されて動作する。
【０００９】上記の再生パルスは、復号器１９を経て、アナログ信号とされ、出力端子２０より取り出される。
【００１０】上記の高周波発生回路５は、２００〜６００ＭＨｚ（光ディスク７から読出した信号の周波数の約１０倍の周波数）という非常に高い周波数の信号を発生する。これは再生信号のＳＮ比を低下させないようにするためである。」
　４）「【００１５】【作用】請求項１の発明において、光ディスクより読取った信号から抽出したクロック信号を利用し、これに同期させてレーザダイオードを駆動する構成は、光ディスクからの反射光を、その光強度変化が同じタイミングで開始するものとするように作用し、更には、再生信号を、そのレベル変化が同じタイミングで開始するものとするように作用する。
【００１６】また、このことは、レーザダイオードの変調駆動のための変調周波数を従来に比べて低くしても、ＳＮ比の良好な信号が再生されるように作用する。」
　５）「【００１９】同期信号発生器１７は、ライン３１により、高周波発生回路３２と接続してある。
【００２０】再生モード時、ＬＤ２はＬＤ駆動回路３４により駆動され、ＬＤ２より射出したレーザ光３６が信号がデジタル記録してある光ディスク７を照射する。光ディスク７で反射し、光ディスク７に記録されている信号が乗ったレーザ光３７がＰＤ３を照射し、ＰＤ３がアナログの再生信号を出力する。
【００２１】再生信号は、図３の場合と同様に処理された後、出力端子２０より再生信号として取り出される。
【００２２】同期信号発生器１７からは、処理途中の再生信号から得た図２（Ａ）に示すクロック信号ａが出力され、これがライン３１を介して高周波発生回路３２に加えられる。
【００２３】この回路３２は、このクロック信号ａに基づいて動作し、ライン３３に、図２（Ｂ）に示すように、クロック信号ａの周波数に同期し、且つ周波数が数１０ＭＨｚ程度である制御信号ｂを出力する。
【００２４】こゝで、周波数が数１０ＭＨｚ程度（従来に比べて格段に低い）であるため、高周波発生回路３２は、通常のＳｉ半導体製の部品よりなる発振回路を組み込んだ通常のものでよい。
【００２５】ＬＤ駆動回路３４は、上記の制御信号ｂにより制御されて動作し、ライン３５に、図２（Ｃ）に示すように、制御信号ｂと同一周波数であり、クロック信号ａと同期したＬＤ駆動信号ｃを出力する。
【００２６】これにより、ＬＤ２は、図２（Ｄ）に示す光強度波形のレーザ光３６を射出する。
【００２７】このレーザ光３６の強度は、クロック信号ａと同期している。このレーザ光３６が光ディスク７で反射して、光ディスク７に記録されている信号が乗ったレーザ光３７がＰＤ３を照射する。
【００２８】このレーザ光３７は、図２（Ｅ）に示すように、光強度変化が常に同じタイミングで開始するものとなる。
【００２９】このため、ＰＤ３からライン３８に出力される再生信号ｆは、図２（Ｆ）に示すように、レベル変化が常に同じタイミングで開始し、且つ同じタイミングで終るものとなり、各クロック信号の「１」の期間のレベルＬは、一定となる。
【００３０】従って、再生信号ｆはノイズを含まない良質なものとなる。
　これにより、信号処理がされて端子２０から出力される再生信号は、Ｓ／Ｎ比の良好なものとなる。
【００３１】また、ＬＤ３には、レーザ光３７と同じレーザ光が戻り光となって戻る。しかし、ＬＤ３は、その変調周波数が数１０ＭＨｚと従来に比べて格段に低いけれども変調されて駆動されているため、戻り光が入ってもＬＤ３の動作は不安定とはならず、ノイズは発生しない。
【００３２】また、制御信号ｂの周波数が数１０ＭＨｚ程度のものであるため、高周波発生回路３２はＳｉ半導体部品を使用した通常のもので足り、且つＬＤ駆動回路３４も通常のもので足りる。
【００３３】これにより、光学ヘッド４０は従来に比べて安価となり、且つ消費電力も少なくなる。
【００３４】次に、光ディスク装置の電源がオンとされた後、光ディスクが回転して再生が開始されるまでの間、即ちクロック信号が得られない期間、の動作について説明する。
【００３５】この期間、即ち、最初の引込み時には、ＬＤ２をＤＣで駆動する。
【００３６】光ディスクの再生が開始されて再生が安定となった後、上記ＤＣに変調信号を重畳して駆動する。
【００３７】引き込み時の信号はパターン化されており、ノイズに強いため、問題はない。また、起動時である点からも、問題はない。
【００３８】【発明の効果】以上説明した様に、請求項１の発明によれば、良好なＳＮ比の再生信号を得ることが出来る。
【００３９】しかも、このことを、レーザダイオードの変調周波数を従来に比べて低くして達成することが出来、従って光学ヘッドを従来のものに比べて安価で且つ低消費電力のものとすることが出来る。」
　
　以上の記載を、特に【第１図】を参照して整理すると、結局、刊行物には、以下のとおりの発明が記載されているものと認める。
　「レーザダイオードと、
　レーザダイオードから出射したレーザ光を光ディスクに照射する手段と、
　光ディスクで反射し、光ディスクに記録されている信号が乗ったレーザ光を受光するフォトダイオードと、
　フォトダイオードから出力される信号を増幅器、波形等化器、整形器、弁別器を経て再生パルス信号とする再生信号処理回路と、
　再生パルスを出力端子より取り出されるアナログ信号とする復号器とからなり、
　弁別器は、整形器から出力される再生信号から抽出され、位相比較器、低域フィルタ（ＬＰＦ）、電圧制御発振器（ＶＣＯ）よりなる同期信号発生器から出力されるクロック信号により制御されて動作するものであり、
　レーザダイオードは、光ディスク装置の電源がオンとされた後、光ディスクが回転して再生が開始されるまでの間、直流駆動信号で駆動され、
　光ディスクの再生が開始されて再生が安定となった後、直流駆動信号に、同期信号発生器から出力されるクロック信号に同期し、且つ周波数が数１０MHz程度である高周波発生回路からの高周波制御信号を重畳した駆動信号により変調駆動されることを特徴とする光ディスク装置。」
　
３．対比・判断
　１）対比
　本願発明と刊行物記載の発明を対比すると、刊行物記載の発明は、レーザダイオード（本願発明における半導体レーザに相当することは明らかである）の光出力を制御する光出力制御手段を備えてはいないものの、再生信号処理回路で用いるクロック信号と同期した高周波信号をレーザダイオードを駆動する駆動信号又は制御信号に重畳することをもって、ＳＮ比の良好な信号を再生しようとするものであり、この点で、本願発明と共通する。
　また、刊行物記載の発明におけるレーザダイオードから出射されるレーザ光は分岐されることはないものの、光ディスクに照射され記録媒体に記録された情報を再生するものであるから、本願発明における第１の光ビームに相当し、刊行物記載の発明におけるフォトダイオードが本願発明における第１の光検出器に相当することは明らかである。
　刊行物記載の発明におけるフォトダイオードから出力される信号を処理する再生信号処理回路の波形等化器、整形器は、復号処理前段の再生パルス信号を得るためのものであって、本願発明における再生信号２値化手段に相当することは明らかである。
　そして、刊行物記載の発明における位相比較器、低域フィルタ（ＬＰＦ）、電圧制御発振器（ＶＣＯ）よりなる同期信号発生器が、本願発明における位相同期手段に相当することも明らかである。
　
　結局、両発明の［一致点］及び［相違点］は以下のとおりである。
　［一致点］
「半導体レーザと、
　前記第１の光ビームをディスク状記録媒体に照射する手段と、
　前記記録媒体からの反射光を検出する第１の光検出器と、
　前記第１の光検出器の出力信号から前記記録媒体に記録された情報の再生信号を生成する再生手段と、
　この再生手段により生成された再生信号をディジタル化するための再生信号２値化手段と、
　この再生信号２値化手段の出力信号と基準再生クロックとの位相を同期させるための電圧制御発振器を備えた位相同期手段と、
　高周波信号生成手段と、
　信号再生時に前記高周波信号を半導体レーザ駆動信号に重畳する信号重畳手段と、
　を具備することを特徴とする光ディスク装置。」
　
　［相違点］
　イ．本願発明が、半導体レーザの光出力を制御することを前提としていて、半導体レーザからの光を、ディスク状記録媒体に照射する再生のための第１の光ビームと光出力モニタのための第２の光ビームに分岐する分岐手段と、第２の光ビームを検出する第２の光検出器と、この第２の光検出器の出力信号から制御信号を生成し、該制御信号を用いて前記半導体レーザの光出力を制御する光出力制御手段とを具備するとともに、高周波信号を半導体レーザ駆動信号に重畳するのに光出力制御手段の制御信号に重畳しているのに対して、刊行物記載の発明では、レーザダイオードの光出力制御について特別の考慮をしていない点。
　ロ．半導体レーザの高周波駆動のための高周波信号を得るのに、本願発明では、位相同期手段の電圧制御発振器の発振周波数を再生信号帯域の概ね２倍以上かつ光出力制御手段の制御帯域内に設定するとともに、ゲイン調整および遅延補償を施して高周波信号を生成する高周波信号生成手段を用いているのに対して、刊行物記載の発明では、同期信号発生器（位相同期手段）の電圧制御発振器で発生する弁別器制御用のクロック信号を受け、該クロック信号に同期した周波数が数１０MHz程度である高周波制御信号を高周波発生回路から得ている点。
　ハ．再生信号に対する信号処理において、本願発明では、高周波信号の重畳した再生信号にフィルタリングを施すことにより該再生信号帯域外の残留高周波変調信号を除去して改善された再生信号を得る再生信号フィルタリング手段を用いているのに対して、刊行物記載の発明では、このような手段を備えていない点。
　
　２）判断
　相違点イ．について、
　光ディスク装置において、半導体レーザから出射される光ディスクへの照射光の一部を分岐して、モニタ用の光検出器で検出し、その検出信号を用いて半導体レーザの光出力を制御することは、刊行物を提示するまでもなく、ごく周知のことである。
　また、半導体レーザの駆動回路において、光出力制御信号に高周波信号を重畳させることも、例えば、特開平３−１３２９３３号公報，特開平５−４８１８４号公報等の記載にみられるように周知の事項である。
　そして、刊行物記載の発明においても、光出力制御は、当然に採用し得るものであから、レーザダイオードを駆動する直流駆動信号として、分岐した光をモニタする光検出器からの検出信号による制御信号を用いて光出力を制御し、その際、該制御信号に高周波信号を重畳することは、当業者であれば、格別の発明力を要すことなく、適宜に採用し得るものと認める。
　相違点ロ．について、
　刊行物記載の発明において、高周波発生回路から出力される制御信号（ｂ）は、同期信号発生器のＶＣＯ（電圧制御発振器）から出力されるクロック信号（ａ）と同期した信号であり、したがって、両信号の周波数は、刊行物の【図２】からみても、逓倍又は分周の関係にあることは明らかである。
　そして、同図からみて、クロック信号（ａ）に対して、制御信号（ｂ）が６倍前後の周波数を有していることは明らかであって、クロック信号（ａ）によって弁別器（１３）が再生信号の弁別動作を行うものであるから、クロック信号（ａ）は、少なくとも再生信号の周波数帯域と同等の周波数帯域を有していることも明らかであり、したがって、制御信号（ｂ）が、再生信号帯域の概ね２倍以上の周波数であることも明らかである（なお、半導体レーザ光源を駆動する高周波電流の周波数を記録媒体に保持される情報の最高周波数成分の２倍以上に設定すること自体、例えば、特開昭５７−１７９９５３号公報、特開昭６０−２４３８３２号公報、特開昭６２−２８７４４５号公報の記載にもみられるように周知である）。
　また、高周波信号の周波数の上限を、重畳される光出力制御手段の制御帯域内とすることも、当業者であれば、当然に考慮すべき事項であって、その採用に格別の困難性は認められない。
　一方、位相比較器を含む同期信号発生器において、周波数の高い電圧制御発振器の出力を分周器を介して位相器に入力することもごく周知の技術であること、逓倍と分周とは、相対的なものであることを考慮すると、刊行物記載の発明において、同期信号発生器の電圧制御発振器自体の周波数を高周波発生回路で出力する制御信号と同等の高い周波数として、直接的に制御信号（ｂ）を得、位相比較器及び弁別器には、分周器を介して信号を供給することは、当業者であれば格別の発明力を要すことなく、適宜に採用し得ることである。
　また、ゲイン調整及び遅延補償も、電圧制御発振器自体の出力振幅及び位相に応じて、当業者であれば、必要に応じて、適宜に採用し得る範囲内のものである。
　結局、刊行物記載の発明においても、同期信号発生器（位相同期手段）の電圧制御発振器の発振周波数を再生信号帯域の概ね２倍以上かつ光出力制御手段の制御帯域内に設定するとともに、ゲイン調整および遅延補償を施して高周波信号を生成する高周波信号生成手段を用いることは、当業者であれば格別の発明力を要すことなく、適宜に採用し得ることである。
　相違点ハ．について
　高周波を重畳した制御信号により駆動される半導体レーザで再生される再生信号に再生信号帯域外の高周波変調信号が残留することは当業者であれば当然に想定し得ることであり、刊行物記載の発明において、残留高周波変調信号を除去する再生信号フィルタリング手段を採用することは、当業者であれば格別の発明力を要すことなく、必要に応じて、適宜に採用し得ることである。
　
　以上、相違点における本願発明が採用した点は、いずれも、刊行物記載の発明においても、当業者が格別の発明力を要すことなく、適宜に採用し得るものであり、結局、本願請求項１に係る発明は、刊行物に記載された各発明に基づいて、当業者が容易に発明し得たものと認める。
　
４．むすび
　以上のとおりであるから、本願請求項１に係る発明は、特許法２９条第２項の規定により特許を受けることができないとした原査定は妥当なものである。
　したがって、本願発明は、その余の請求項について論及するまでもなく、拒絶すべきものである。
　
　よって、結論のとおり審決する。